(57)【要約】【課題】  誘虫性の評価にあたり、誤差が小さい誘虫性の評価方法を提供し、これを用いて所望の行動抑制効果が得られる低誘虫性照明システムを提供する。【解決手段】  光源３を有する照明器具２からの光の誘虫性の評価方法であって、光源３の分光分布Ｐ（λ）と、昆虫の走光性の波長特性Ｒ（λ）と、標準分光視感効率Ｖ（λ）と、分光器具効率α（λ）と、誘虫性を評価する部位における単位面積当りの光束Ｅｇから求められる式（ａ）から算出される換算誘虫性指数Ｉ’を用いて評価する。【数１】2007024632.tif 000021【選択図】図１
2007024632.tif 000002
【特許請求の範囲】
【請求項１】
光源を有する照明器具からの光の誘虫性の評価方法であって、光源の分光分布Ｐ（λ）と、昆虫の走光性の波長特性Ｒ（λ）と、標準分光視感効率Ｖ（λ）と、分光器具効率α（λ）と、誘虫性を評価する部位における単位面積当りの光束Ｅｇから求められる式（ａ）から算出される換算誘虫性指数Ｉ’を用いて評価することを特徴とする誘虫性の評価方法。
【数１】
2007024632.tif 000015
【請求項２】
光源を有する照明器具を備える低誘虫性照明システムであって、光源の分光分布Ｐ（λ）と、昆虫の走光性の波長特性Ｒ（λ）と、標準分光視感効率Ｖ（λ）と、分光器具効率α（λ）と、誘虫性を評価する部位における単位面積当りの光束Ｅｇから求められる式（ａ）から算出される換算誘虫性指数Ｉ’によって誘虫性を評価したことを特徴とする低誘虫性照明システム。
【数２】
2007024632.tif 000016
【請求項３】
光源を有する照明器具からの光を反射する、反射面からの光の誘虫性の評価方法であって、光源の分光分布Ｐ（λ）と、昆虫の走光性の波長特性Ｒ（λ）と、標準分光視感効率Ｖ（λ）と、分光器具効率α（λ）と、分光反射率ｒ（λ）と、反射面における単位面積当りの光束Ｅｒから求められる式（ｂ）から算出される換算誘虫性指数Ｉ’を用いて評価することを特徴とする誘虫性の評価方法。
【数３】
2007024632.tif 000017
【請求項４】
光源を有する照明器具からの光を反射する、反射面を備える低誘虫性照明システムであって、光源の分光分布Ｐ（λ）と、昆虫の走光性の波長特性Ｒ（λ）と、標準分光視感効率Ｖ（λ）と、分光器具効率α（λ）と、分光反射率ｒ（λ）と、反射面における単位面積当りの光束Ｅｒから求められる式（ｂ）から算出される換算誘虫性指数Ｉ’によって誘虫性を評価したことを特徴とする低誘虫性照明システム。
【数４】
2007024632.tif 000018
【請求項５】
光源を有する照明器具からの光を透過する、透過面からの光の誘虫性の評価方法であって、光源の分光分布Ｐ（λ）と、昆虫の走光性の波長特性Ｒ（λ）と、標準分光視感効率Ｖ（λ）と、分光器具効率α（λ）と、分光透過率ｔ（λ）と、透過面の光源に臨む側における単位面積当りの光束Ｅｔから求められる式（ｃ）から算出される換算誘虫性指数Ｉ’を用いて評価することを特徴とする誘虫性の評価方法。
【数５】
2007024632.tif 000019
【請求項６】
光源を有する照明器具からの光を透過する、透過面を備える低誘虫性照明システムであって、光源の分光分布Ｐ（λ）と、昆虫の走光性の波長特性Ｒ（λ）と、標準分光視感効率Ｖ（λ）と、分光器具効率α（λ）と、分光透過率ｔ（λ）と、透過面の光源に臨む側における単位面積当りの光束Ｅｔから求められる式（ｃ）から算出される換算誘虫性指数Ｉ’によって誘虫性を評価したことを特徴とする低誘虫性照明システム。
【数６】
2007024632.tif 000020
【発明の詳細な説明】
【技術分野】
【０００１】
本発明は、光源を有する照明器具からの光の誘虫性の評価方法、及び光源を有する照明器具を備える低誘虫性照明システムに関するものである。
【０００２】
また、本発明は、光源を有する照明器具からの光を反射する反射面からの光の誘虫性の評価方法、及び光源を有する照明器具からの光を反射する、反射面を備える低誘虫性照明システムに関するものである。
【０００３】
さらに、本発明は、光源を有する照明器具からの光を透過する透過面からの光の誘虫性の評価方法、及び光源を有する照明器具からの光を透過する、透過面を備える低誘虫性照明システムに関するものである。
【背景技術】
【０００４】
従来から、特定の分光分布を有する光によって昆虫の誘引または行動抑制を調節する照明器具や照明システムとして、特許文献１に記載されたものが知られている。
【０００５】
ここで、光源を有する照明器具からの光の誘虫性の評価方法として、非特許文献１に記載されたものが知られている。
【０００６】
これは光源の分光分布Ｐ（λ）と、昆虫の走光性の波長特性Ｒ（λ）と、標準分光視感効率Ｖ（λ）と、から算出される誘虫性指数Ｉを用いて評価するものである。
【特許文献１】特開２００４−２４７１５６号公報
【非特許文献１】Ｂｉｃｋｆｏｒｄ，Ｅ．Ｄ．：“Ｂｉｏｌｏｇｉｃａｌ  Ｌｉｇｈ    ｔｉｎｇ”，Ｉ．Ｅ．Ｓ．  Ｎａｔ．  Ｔｅｃｈ．  Ｃｏｎｆ．  Ｐａｐｅｒ，  Ｐｒｅｐｒｉｎｔ  Ｎｏ．２，  １９６４．
【発明の開示】
【発明が解決しようとする課題】
【０００７】
しかしながら、この誘虫性指数Ｉは、光源の分光分布Ｐ（λ）と、昆虫の走光性の波長特性Ｒ（λ）と、標準分光視感効率Ｖ（λ）と、のみに基づくものであり、光源からの光束の大小は考慮されていない。すなわち、光源から離れた位置では、光源に近い位置に比較して誘虫性は小さくなるにもかかわらず、その影響を把握することが難しい場合がある。
【０００８】
また、実際の照明システムは、壁面等の反射面に光を照射する、いわゆる間接照明、又はガラス面等の透過面に光を照射する、いわゆる演出照明といったものがあり、この誘虫性指数Ｉは、反射面又は透過面の物性は考慮されていない。すなわち、壁面又はガラス面における昆虫の誘引又は行動抑制の影響を把握することが難しい場合がある。
【０００９】
そのため、この誘虫性指数Ｉは、実際の照明器具や照明システムとした場合の誘虫性指数として、実情と相違する場合があり、照明器具や照明システムの選定、ランニングコストの選定等に誤差を与える可能性があり、所望の誘引又は行動抑制の効果が得られず、不要のコストがかさむ可能性があった。
【００１０】
本願発明は、上記背景技術に鑑みてなされたものであり、その課題は、誘虫性の評価にあたり、誤差が小さい誘虫性の評価方法を提供し、これを用いて所望の行動抑制効果が得られる低誘虫性照明システムを提供することである。
【課題を解決するための手段】
【００１１】
上記課題を解決するために、本願の請求項１に記載の発明は、光源を有する照明器具からの光の誘虫性の評価方法であって、光源の分光分布Ｐ（λ）と、昆虫の走光性の波長特性Ｒ（λ）と、標準分光視感効率Ｖ（λ）と、分光器具効率α（λ）と、誘虫性を評価する部位における単位面積当りの光束Ｅｇから求められる式（ａ）から算出される換算誘虫性指数Ｉ’を用いて評価することを特徴とする誘虫性の評価方法である。
【００１２】
【数１】
2007024632.tif 000003
【００１３】
また、本願の請求項２に記載の発明は、光源を有する照明器具を備える低誘虫性照明システムであって、光源の分光分布Ｐ（λ）と、昆虫の走光性の波長特性Ｒ（λ）と、標準分光視感効率Ｖ（λ）と、分光器具効率α（λ）と、誘虫性を評価する部位における単位面積当りの光束Ｅｇから求められる式（ａ）から算出される換算誘虫性指数Ｉ’によって誘虫性を評価したことを特徴とする低誘虫性照明システムである。
【００１４】
【数２】
2007024632.tif 000004
【００１５】
また、本願の請求項３に記載の発明は、光源を有する照明器具からの光を反射する、反射面からの光の誘虫性の評価方法であって、光源の分光分布Ｐ（λ）と、昆虫の走光性の波長特性Ｒ（λ）と、標準分光視感効率Ｖ（λ）と、分光器具効率α（λ）と、分光反射率ｒ（λ）と、反射面における単位面積当りの光束Ｅｒから求められる式（ｂ）から算出される換算誘虫性指数Ｉ’を用いて評価することを特徴とする誘虫性の評価方法である。
【００１６】
【数３】
2007024632.tif 000005
【００１７】
また、本願の請求項４に記載の発明は、光源を有する照明器具からの光を反射する、反射面を備える低誘虫性照明システムであって、光源の分光分布Ｐ（λ）と、昆虫の走光性の波長特性Ｒ（λ）と、標準分光視感効率Ｖ（λ）と、分光器具効率α（λ）と、分光反射率ｒ（λ）と、反射面における単位面積当りの光束Ｅｒから求められる式（ｂ）から算出される換算誘虫性指数Ｉ’によって誘虫性を評価したことを特徴とする低誘虫性照明システムである。
【００１８】
【数４】
2007024632.tif 000006
【００１９】
また、本願の請求項５に記載の発明は、光源を有する照明器具からの光を透過する、透過面からの光の誘虫性の評価方法であって、光源の分光分布Ｐ（λ）と、昆虫の走光性の波長特性Ｒ（λ）と、標準分光視感効率Ｖ（λ）と、分光器具効率α（λ）と、分光透過率ｔ（λ）と、透過面の光源に臨む側における単位面積当りの光束Ｅｔから求められる式（ｃ）から算出される換算誘虫性指数Ｉ’を用いて評価することを特徴とする誘虫性の評価方法である。
【００２０】
【数５】
2007024632.tif 000007
【００２１】
また、本願の請求項６に記載の発明は、光源を有する照明器具からの光を透過する、透過面を備える低誘虫性照明システムであって、光源の分光分布Ｐ（λ）と、昆虫の走光性の波長特性Ｒ（λ）と、標準分光視感効率Ｖ（λ）と、分光器具効率α（λ）と、分光透過率ｔ（λ）と、透過面の光源に臨む側における単位面積当りの光束Ｅｔから求められる式（ｃ）から算出される換算誘虫性指数Ｉ’によって誘虫性を評価したことを特徴とする低誘虫性照明システムである。
【００２２】
【数６】
2007024632.tif 000008
【００２３】
ここで、光源の分光分布Ｐ（λ）とは、光を分光し、各波長のエネルギーの相対値と波長の関係を表したもので、各波長のエネルギーが、それぞれどれほど含まれているかを表したものをいう。
【００２４】
また、昆虫の走光性の波長特性Ｒ（λ）とは、昆虫の各波長光に対する誘引性の強度をいい、最大強度を１とした誘引性比率の分布をいう。一般的にはＢｉｃｋｆｏｒｄの趨光曲線が知られている。
【００２５】
標準分光視感効率Ｖ（λ）とは、各波長における人間の目に感じる視感量で最大値を１として表したものをいい、ＪＩＳ  Ｚ８１１３に明所視（５５５ｎｍピーク：相対１）の場合として規定されるものをいう。
【００２６】
また、分光器具効率α（λ）とは、誘虫性を評価する部位における各波長の器具効率をいう。
【００２７】
また、分光反射率ｒ（λ）とは、反射面における各波長の反射率をいう。
【００２８】
また、分光透過率ｔ（λ）とは、透過面における各波長の透過率をいう。
【発明の効果】
【００２９】
本願の請求項１に記載の発明によれば、器具物性及び光源からの光束により誘虫性指数Ｉを補正しているので、誘虫性の評価にあたり、誤差が小さくなる。
【００３０】
本願の請求項２に記載の発明によれば、換算誘虫性指数Ｉ’が器具物性及び光源からの光束を考慮しているので、所望の行動抑制効果が得られる低誘虫性照明システムを提供できる。
【００３１】
本願の請求項３に記載の発明によれば、器具物性、反射面物性及び光源からの光束により誘虫性指数Ｉを補正しているので、誘虫性の評価にあたり、誤差が小さくなる。
【００３２】
本願の請求項４に記載の発明によれば、換算誘虫性指数Ｉ’が器具物性、反射面物性及び光源からの光束を考慮しているので、所望の行動抑制効果が得られる低誘虫性照明システムを提供できる。
【００３３】
本願の請求項５に記載の発明によれば、器具物性、透過面物性及び光源からの光束により誘虫性指数Ｉを補正しているので、誘虫性の評価にあたり、誤差が小さくなる。
【００３４】
本願の請求項６に記載の発明によれば、換算誘虫性指数Ｉ’が器具物性、透過面物性及び光源からの光束を考慮しているので、所望の行動抑制効果が得られる低誘虫性照明システムを提供できる。
【発明を実施するための最良の形態】
【００３５】
本願発明の第一実施形態として、本願の請求項１及び２に対応した誘虫性の評価方法及び低誘虫性照明システム１について図１により説明する。
【００３６】
本実施形態の誘虫性の評価方法及び低誘虫性照明システム１は、図１に示すごとく、光源３を有する照明器具２からの光の誘虫性の評価方法であって、光源３の分光分布Ｐ（λ）と、昆虫の走光性の波長特性Ｒ（λ）と、標準分光視感効率Ｖ（λ）と、分光器具効率α（λ）と、誘虫性を評価する部位における単位面積当りの光束Ｅｇから求められる式（ａ）から算出される換算誘虫性指数Ｉ’を用いて評価することを特徴とする誘虫性の評価方法である。
【００３７】
【数７】
2007024632.tif 000009
【００３８】
また、換算誘虫性指数Ｉ’によって誘虫性を評価した低誘虫性照明システム１である。
【００３９】
以下、本第一実施形態による評価方法及び低誘虫性照明システム１を、より具体的詳細に説明する。
【００４０】
最初に、低誘虫性照明システム１であるが、これは光源３と箱形状の透光部材４とを備えた照明器具２であり、透光部材４の内部に光源３を有する。
【００４１】
光源３は、蛍光灯、高圧ナトリウム灯、水銀灯、メタルハライドランプ等の汎用の光源が用いられる。図４に本第一実施形態で用いられた蛍光灯の分光分布Ｐ（λ）を示す。
【００４２】
透光部材４は、ガラス、アクリル樹脂、特開２００４−２４７１５６号公報に記載される低誘虫性材料等の汎用の材料で構成されるもので、透光部材４の表面が本実施形態における誘虫性を評価する部位となる。なお本実施形態では、誘虫性評価に用いる一面（４０ｃｍ×４０ｃｍ）を除き、黒色艶消し塗装を施して光が漏洩しないようにした。図５に本第一実施形態で用いられたガラス、アクリル樹脂、低誘虫性材料の分光効率α（λ）を示す。また誘虫性評価に用いられている一面と光源の距離は３０ｃｍである。
【００４３】
なお、昆虫の走光性の波長特性Ｒ（λ）については、Ｂｉｃｋｆｏｒｄの趨光曲線を用い、標準分光視感効率Ｖ（λ）については、ＪＩＳ  Ｚ８１１３に規定されるものを用いた。
【００４４】
本第一実施形態における低誘虫性照明システム１の評価結果である実施例１〜９、比較例１〜９について表１に示す。
【００４５】
【表１】
2007024632.tif 000010
【００４６】
ここで表１は、採用された光源３と、透光部材４との組み合わせについて、本願発明にかかる式（ａ）に基づいて算出された換算誘虫性指数Ｉ’と、従来例に基づいて算出された誘虫性指数Ｉと、誘虫性を比較したものである。
【００４７】
ここで、誘虫性を評価する部位、すなわち透光部材４の表面における単位面積当りの光束Ｅｇは、照度計を測定箇所に設置することで測定した。
【００４８】
また誘虫性は、山間部のグラウンドにおいて周辺からの明かりのない夜間に実施し、誘虫性評価に用いられている一面の近傍に２０ｃｍ×４０ｃｍの粘着シートを設置し、これに補足される虫の個体数を計数することで実施した。
【００４９】
以上に示すごとく、実施例１〜９と比較例１〜９との結果から明らかなように、本第一実施形態によれば、器具物性及び光源からの光束により誘虫性指数Ｉを補正しているので、誘虫性の評価にあたり、誘虫性と換算誘虫性指数Ｉ’の相関がとれるようになり、誤差が小さくなる。
【００５０】
さらに、実施例３及び６〜９と比較例１〜９との結果から明らかなように、換算誘虫性指数Ｉ’が器具物性及び光源からの光束を考慮しているので、任意の設計が可能となり、所望の行動抑制効果が得られる低誘虫性照明システムを提供できる。
【００５１】
続いて、本願発明の第二実施形態として、本願の請求項３及び４に対応した誘虫性の評価方法及び低誘虫性照明システム１について図２により説明する。
【００５２】
本実施形態の誘虫性の評価方法及び低誘虫性照明システム１は、図２に示すごとく、光源３を有する照明器具２からの光を反射する、反射面５からの光の誘虫性の評価方法であって、光源３の分光分布Ｐ（λ）と、昆虫の走光性の波長特性Ｒ（λ）と、標準分光視感効率Ｖ（λ）と、分光器具効率α（λ）と、分光反射率ｒ（λ）と、反射面５における単位面積当りの光束Ｅｒから求められる式（ｂ）から算出される換算誘虫性指数Ｉ’を用いて評価することを特徴とする誘虫性の評価方法である。
【００５３】
【数８】
2007024632.tif 000011
【００５４】
また、換算誘虫性指数Ｉ’によって誘虫性を評価した低誘虫性照明システム１である。
【００５５】
以下、本第二実施形態による評価方法及び低誘虫性照明システム１を、より具体的詳細に説明するが、第一実施形態と相違する箇所のみ説明することとする。
【００５６】
まず、透光部材４であるが、ガラスで構成される。本実施形態では、誘虫性評価に用いる一面（図２において反射板５に対向する上面）を除き、黒色艶消し塗装を施して光が漏洩しないようにした。また誘虫性評価に用いられている一面と光源の距離は３０ｃｍである。
【００５７】
また、反射面５（４０ｃｍ×４０ｃｍ）は、アルミニウム表面を鏡面仕上げしたもので、仕上げの程度によって、分光反射率ｒ（λ）は４５％、６５％、８５％のものを用意した。図６に本第二実施形態で用いた反射面５の分光反射率ｒ（λ）を示す。
【００５８】
反射面５は、照明器具２の誘虫性評価に用いる一面に対向して、この面に４５度の傾斜をとるように、その辺の一部が照明器具２の誘虫性評価に用いる一面に接触して備えられる。
【００５９】
本第二実施形態における低誘虫性照明システム１の評価結果である実施例１０〜１８、比較例１０〜１８について表２に示す。
【００６０】
【表２】
2007024632.tif 000012
【００６１】
ここで表２は、採用された光源３と、反射板５との組み合わせについて、本願発明にかかる式（ｂ）に基づいて算出された換算誘虫性指数Ｉ’と、従来例に基づいて算出された誘虫性指数Ｉと、誘虫性を比較したものである。
【００６２】
ここで、反射面５における単位面積当りの光束Ｅｒは、照度計を測定箇所に設置することで測定した。
【００６３】
以上に示すごとく、実施例１０〜１８と比較例１０〜１８との結果から明らかなように、本第二実施形態によれば、器具物性、反射面物性及び光源からの光束により誘虫性指数Ｉを補正しているので、誘虫性の評価にあたり、誘虫性と換算誘虫性指数Ｉ’の相関がとれるようになり、誤差が小さくなる。
【００６４】
さらに、実施例１３〜１５と比較例１０〜１８との結果から明らかなように、換算誘虫性指数Ｉ’が器具物性、反射面物性及び光源からの光束を考慮しているので、任意の設計が可能となり、所望の行動抑制効果が得られる低誘虫性照明システムを提供できる。
【００６５】
続いて、本願発明の第三実施形態として、本願の請求項５及び６に対応した誘虫性の評価方法及び低誘虫性照明システム１について図３により説明する。
【００６６】
本実施形態の誘虫性の評価方法及び低誘虫性照明システム１は、図３に示すごとく、光源３を有する照明器具２からの光を反射する、透過面６からの光の誘虫性の評価方法であって、光源３の分光分布Ｐ（λ）と、昆虫の走光性の波長特性Ｒ（λ）と、標準分光視感効率Ｖ（λ）と、分光器具効率α（λ）と、分光透過率ｒ（λ）と、透過面６の光源３に臨む側における単位面積当りの光束Ｅｒから求められる式（ｂ）から算出される換算誘虫性指数Ｉ’を用いて評価することを特徴とする誘虫性の評価方法である。
【００６７】
【数９】
2007024632.tif 000013
【００６８】
また、換算誘虫性指数Ｉ’によって誘虫性を評価した低誘虫性照明システム１である。
【００６９】
以下、本第三実施形態による評価方法及び低誘虫性照明システム１を、より具体的詳細に説明するが、第一実施形態と相違する箇所のみ説明することとする。
【００７０】
まず、透光部材４であるが、ガラスで構成される。本実施形態では、誘虫性評価に用いる一面（図３において透過板６に対向する前面）を除き、黒色艶消し塗装を施して光が漏洩しないようにした。
【００７１】
また、透過面６（４０ｃｍ×４０ｃｍ）は、ガラスを着色仕上げしたもので、仕上げの程度によって、分光透過率ｒ（λ）が４０％、５０％、６０％であるものを用意した。図７に本第三実施形態で用いた透過面６の分光透過率ｒ（λ）を示す。
【００７２】
透過面６は、照明器具２の誘虫性評価に用いる一面に対向して、この面に平行となるように、３０ｃｍの間隔を空けて備えられる。
【００７３】
本第三実施形態における低誘虫性照明システム１の評価結果である実施例１９〜３０、比較例１９〜３０について表３に示す。
【００７４】
【表３】
2007024632.tif 000014
【００７５】
ここで表３は、採用された光源３と、透過面６との組み合わせについて、本願発明にかかる式（ｃ）に基づいて算出された換算誘虫性指数Ｉ’と、従来例に基づいて算出された誘虫性指数Ｉと、誘虫性を比較したものである。
【００７６】
ここで、透過面６の光源３に臨む側における単位面積当りの光束Ｅｔは、照度計を測定箇所に設置することで測定した。
【００７７】
以上に示すごとく、実施例１９〜３０と比較例１９〜３０との結果から明らかなように、本第三実施形態によれば、透光部材物性、透過面物性及び光源からの光束により誘虫性指数Ｉを補正しているので、誘虫性の評価にあたり、誘虫性と換算誘虫性指数Ｉ’の相関がとれるようになり、誤差が小さくなる。
【００７８】
さらに、実施例２５〜３０と比較例１９〜３０との結果から明らかなように、換算誘虫性指数Ｉ’が器具物性、透過面物性及び光源からの光束を考慮しているので、任意の設計が可能となり、所望の行動抑制効果が得られる低誘虫性照明システムを提供できる。
【図面の簡単な説明】
【００７９】
【図１】本願発明の第一実施形態の斜視図
【図２】本願発明の第二実施形態の斜視図
【図３】本願発明の第三実施形態の斜視図
【図４】本願発明の実施形態における光源の分光分布Ｐ（λ）の一例
【図５】本願発明の実施形態における分光器具効率Ｐ（λ）の一例
【図６】本願発明の実施形態における分光反射率Ｐ（λ）の一例
【図７】本願発明の実施形態における分光透過率Ｐ（λ）の一例
【符号の説明】
【００８０】
１      低誘虫性照明システム
２      照明器具
３      光源
５      反射面
６      透過面
【図１】
2007024632.tif 000022
【図２】
2007024632.tif 000023
【図３】
2007024632.tif 000024
【図４】
2007024632.tif 000025
【図５】
2007024632.tif 000026
【図６】
2007024632.tif 000027
【図７】
2007024632.tif 000028